(57)【要約】      （修正有）【課題】直列ユニットを壁に設置するときの作業性を向上させる。【解決手段】直列ユニット１はシールドケース１０１に、室内に突出する受信機接続端子１０２ａ、１０２ｂと壁の内部空間に位置する入力端子１０３及び出力端子１０４からなり、前記シールドケースは、前記受信機接続端子が設けられた第１主面１Ａから奥に向かって内部空間を持つ立方体状の第１プリント回路板１０６の収納スペース１０１ａが設けられ、第２主面１Ｂ、前記第２主面の裏面に第３主面１Ｃ、前記第１主面の裏面に第４主面１Ｄが設けられ、前記第３主面から前記第４主面まで連続する第３開口部が前記入力端子及び出力端子と同じ数だけ設けられてなり、前記入力端子及び前記出力端子は、前記第３開口部から突出し、かつ、前記第３主面及び前記第４主面と直交する面内で回転する。【選択図】図１
2005044746.tif 000002
【特許請求の範囲】
【請求項１】
空洞を有する導電性のシールドケースに、中心導体及び前記中心導体と同心的に設けられた外部導体を有する複数個の同軸ケーブル接続端子、及び壁面設置用部材を取り付ける壁面設置用部材取付部を設け、前記シールドケースの空洞にプリント回路板を設けてなり、前記各同軸ケーブル接続端子の中心導体同士は前記プリント回路板により電気的に接続され、前記各同軸ケーブル接続端子の外部導体同士は前記シールドケースにより電気的に接続された直列ユニットであって、
前記同軸ケーブル接続端子は、室内の壁に設置したときに室内に突出する受信機接続端子と、壁の内部空間に位置する入力端子及び出力端子からなり、
前記シールドケースは、前記受信機接続端子が設けられた第１主面から奥に向かって内部空間を持つ立方体状の第１プリント回路板収納スペースが設けられ、
前記第１プリント回路板収納スペースは前記第１主面の短辺方向を向いた第２主面に第１開口部が設けられ、前記第２主面の裏面（以下、第３主面と称する）側の前記第１主面に近い中央部分に、前記第１プリント回路板収納スペースの外側に延びる前記第１プリント回路板収納スペースと連続した第２プリント回路板収納スペースが設けられ、前記第２プリント回路板収納スペースは前記第１主面の裏面側に第２開口部が設けられ、前記第１プリント回路板収納スペースの前記第３主面の、前記第１主面の裏面（以下、第４主面と称する）側に、前記第３主面から前記第４主面まで連続する第３開口部が前記入力端子及び出力端子と同じ数だけ設けられてなり、
前記入力端子及び前記出力端子は、前記第３開口部から突出し、かつ、前記第３主面及び前記第４主面と直交する面内で回転することを特徴とする直列ユニット。
【請求項２】
前記プリント回路板は、フィルター回路、信号分配回路、信号分岐回路を有することを特徴とする請求項１に記載の直列ユニット。
【請求項３】
前記シールドケースは、前記第１主面の長手方向に沿って、３対の化粧パネル取付部が等間隔で設けられていることを特徴とする請求項１または請求項２に記載の直列ユニット。
【請求項４】
前記入力端子及び出力端子は、外部導体に一対の回転支点部が設けられ、一方の回転支点部には開口部が設けられ、前記回転支点部の開口部には、前記入力端子及び出力端子の中心導体と電気的に接続され、かつ前記外部導体の外部に突出するコンタクト導体及び前記コンタクト導体を回転軸の近傍に支持する支持部材が設けられてなり、
前記支持部材は、絶縁性の第１部材の表面に、前記コンタクト導体と電気的に絶縁された導体カバーが設けられていることを特徴とする請求項１乃至請求項３のいずれかに記載の直列ユニット。
【請求項５】
前記入力端子及び前記出力端子は、前記シールドケース及び前記シールドケースに固定された押さえ金具で前記外部導体の回転支点部を支持され、
前記押さえ金具は、前記回転支点部を支持する支持部と、前記第３開口部の第３主面側の端部及び前記第４主面側の端部と接触するＬ字形のシールド部からなることを特徴とする請求項４に記載の直列ユニット。
【請求項６】
前記シールドケースと前記押さえ金具のシールド部の接触部に、前記シールドケースから前記押さえ金具のシールド部にかけて連続するシールド板が設けられていることを特徴とする請求項５に記載の直列ユニット。
【発明の詳細な説明】
【技術分野】
【０００１】
本発明は、室内に設置されたテレビ受像器等の受信機器と室外に設置されたテレビアンテナやテレビ放送用の信号線を同軸ケーブルで接続する際に用いる直列ユニットに関し、特に、室内の壁に埋め込んで設置するタイプの直列ユニットに適用して有効な技術に関するものである。
【背景技術】
【０００２】
従来、テレビ受像器等の室内に設置した受信機を、室外に設置したアンテナや送信線に接続するために直列ユニットを用いる。
【０００３】
前記直列ユニットは、通常、室内の壁面、もしくは室内の壁面に取り付けた箱状の部材（以下、アウトレットボックスと称する）に取り付けて使用する。そのため、前記直列ユニットには、壁に取り付けたときに室内に突出する同軸ケーブル端子（受信機接続端子）と、壁の内部空間あるいは設置した面の裏面側に位置する同軸ケーブル端子（入力端子及び出力端子）が設けられている。
【０００４】
前記直列ユニットを前記壁に取り付けるときには、例えば、まず、前記直列ユニットに壁面設置用部材や化粧パネルを取り付ける。そして、前記壁の内部空間に敷設された同軸ケーブルを壁から引き出して、前記入力端子及び出力端子に接続する。なお、前記壁面設置用部材等を取り付ける作業と同軸ケーブルを接続する作業は、どちらが先であってもよい。その後、引き出したケーブルを壁の内部空間に戻しながら、前記壁面設置用部材を壁あるいはアウトレットボックスに取り付ける。そして、最後に化粧プレートをかぶせて壁の開口部をふさぐ。
【０００５】
しかしながら、従来の一般的な直列ユニットでは、前記入力端子及び出力端子が本体（シールドケース）に固定されている。また、前記入力端子及び出力端子は、同軸ケーブルを接続して設置した後の同軸ケーブルの引き回しを考慮して、同心軸が壁と平行な方向を向くように設けられている。そのため、同軸ケーブルを接続する際に、隣の端子やシールドケースが邪魔になり、作業性が悪い。
【発明の開示】
【発明が解決しようとする課題】
【０００６】
本発明が解決しようとする問題点は、前記背景技術で説明したように、前記直列ユニットを壁に取り付ける作業において、前記入力端子及び出力端子に同軸ケーブルを接続する作業や、壁に設置する際の同軸ケーブルの引き回し作業等の作業性が悪いという点である。
【０００７】
本発明の目的は、直列ユニットを壁に設置するときの作業性を向上させることが可能な技術を提供することにある。
【０００８】
本発明の前記ならびにその他の目的と新規な特徴は、本明細書の記述及び添付図面によって明らかになるであろう。
【課題を解決するための手段】
【０００９】
本願において開示される発明の概略を説明すれば、以下の通りである。
【００１０】
（１）  空洞を有する導電性のシールドケースに、中心導体及び前記中心導体と同心的に設けられた外部導体を有する複数個の同軸ケーブル接続端子、及び壁面設置用部材を取り付ける壁面設置用部材取付部を設け、前記シールドケースの空洞にプリント回路板を設けてなり、前記各同軸ケーブル接続端子の中心導体同士は前記プリント回路板により電気的に接続され、前記各同軸ケーブル接続端子の外部導体同士は前記シールドケースにより電気的に接続された直列ユニットであって、前記同軸ケーブル接続端子は、室内の壁に設置したときに室内に突出する受信機接続端子と、壁の内部空間に位置する入力端子及び出力端子からなり、前記シールドケースは、前記受信機接続端子が設けられた第１主面から奥に向かって内部空間を持つ立方体状の第１プリント回路板収納スペースが設けられ、前記第１プリント回路板収納スペースは前記第１主面の短辺方向を向いた第２主面に第１開口部が設けられ、前記第２主面の裏面（以下、第３主面と称する）側の前記第１主面に近い中央部分に、前記第１プリント回路板収納スペースの外側に延びる前記第１プリント回路板収納スペースと連続した第２プリント回路板収納スペースが設けられ、前記第２プリント回路板収納スペースは前記第１主面の裏面側に第２開口部が設けられ、前記第１プリント回路板収納スペースの前記第３主面の、前記第１主面の裏面（以下、第４主面と称する）側に、前記第３主面から前記第４主面まで連続する第３開口部が前記入力端子及び出力端子と同じ数だけ設けられてなり、前記入力端子及び前記出力端子は、前記第３開口部から突出し、かつ、前記第３主面及び前記第４主面と直交する面内で回転する直列ユニットである。
【００１１】
（２）  前記（１）の手段において、前記プリント回路板は、フィルター回路、信号分配回路、信号分岐回路を有する。
【００１２】
（３）  前記（１）または（２）の手段において、前記シールドケースは、前記第１主面の長手方向に沿って、３対の化粧パネル取付部が等間隔で設けられている。
【００１３】
（４）  前記（１）から（３）のいずれかの手段において、前記入力端子及び出力端子は、外部導体に一対の回転支点部が設けられ、一方の回転支点部には開口部が設けられ、前記回転支点部の開口部には、前記入力端子及び出力端子の中心導体と電気的に接続され、かつ前記外部導体の外部に突出するコンタクト導体及び前記コンタクト導体を回転軸の近傍に支持する支持部材が設けられてなり、前記支持部材は、絶縁性の第１部材の表面に、前記コンタクト導体と電気的に絶縁された導体カバーが設けられている。
【００１４】
（５）  前記（４）の手段において、前記入力端子及び前記出力端子は、前記シールドケース及び前記シールドケースに固定された押さえ金具で前記外部導体の回転支点部を支持され、前記押さえ金具は、前記回転支点部を支持する支持部と、前記第３開口部の第３主面側の端部及び前記第４主面側の端部と接触するＬ字形のシールド部からなる。
【００１５】
（６）  前記（５）の手段において、前記シールドケースと前記押さえ金具のシールド部の接触部に、前記シールドケースから前記押さえ金具のシールド部にかけて連続するシールド板が設けられている。
【発明の効果】
【００１６】
本発明の直列ユニットは、前記シールドケースの第３開口部に挿入した入力端子及び出力端子が９０度回転するので、同軸ケーブルを接続するときの作業性が向上する。また、同軸ケーブルを接続した後、前記直列ユニットを壁に設置するときの同軸ケーブルの引き回し作業等の作業性も向上する。
【００１７】
また、前記コンタクト導体を支持する支持部材の表面に導体カバーを設けることで、前記シールドケースと前記入力端子及び出力端子の回転支点部の接触部分のシールド効果が高くなる。
【００１８】
また、前記入力端子及び出力端子の回転支点部を支持する押さえ金具に前記シールド部を設け、前記シールドケースから前記押さえ金具のシールド部にかけて連続するシールド板を設けることで、前記シールドケースと前記押さえ金具のシールド部の接触部分のシールド効果が高くなる。
【００１９】
以下、本発明について、図面を参照して実施の形態（実施例）とともに詳細に説明する。
なお、実施例を説明するための全図において、同一機能を有するものは、同一符号を付け、その繰り返しの説明は省略する。
【発明を実施するための最良の形態】
【００２０】
本発明の直列ユニットでは、シールドケースの受信機接続端子が設けられた第１主面の裏面方向に設けた立方体状のプリント回路板収納スペースの前記第１主面と平行な主面及び直交する主面が接する部分に開口部を設け、前記開口部から回転支点部を有する入力端子及び出力端子を突出させることで、前記入力端子及び出力端子を９０度回転させる。
【実施例】
【００２１】
図１乃至図１３は、本発明による一実施例の直列ユニットの概略構成を示す模式図であり、図１（ａ）は正面図、図１（ｂ）は右側面図、図２（ａ）は上面図、図２（ｂ）は裏面図、図３（ａ），図３（ｂ），図３（ｃ），図３（ｄ）は入力端子の構成を示す図、図４（ａ）はコンタクト部材の構成を示す図、図４（ｂ）はコンタクト部材の分解図、図５はコンタクト部材の変形例を示す図、図６はシールドケースの第３開口部周辺の構成を示す図、図７（ａ）は図６のＡ−Ａ’線での断面図、図７（ｂ）は図６のＢ−Ｂ’線での断面図、図８（ａ）及び図８（ｂ）は入力端子の支持方法を説明するための図、図９（ａ）及び図９（ｂ）は入力端子の動作を説明するための図、図１０は入力端子の取り付け方法を示す図、図１１（ａ），図１１（ｂ），図１１（ｃ）は効果を説明するための図、図１２及び図１３（ａ），図１３（ｂ）は他の効果を説明するための図である。
図１乃至図１３の各図において、１は直列ユニット、１０１はシールドケース、１０１ａは第１プリント回路板収納スペース、１０１ｂは第２プリント回路板収納スペース、１０１ｃは軸受け部、１０１ｄは押さえ金具取付用スリット、１０１ｅはバリアー部、１０２ａ，１０２ｂは受信機接続端子（同軸ケーブル接続端子）、１０３は入力端子（同軸ケーブル接続端子）、１０３ａは外部導体、１０３ｂは回転支点部、１０３ｃは回転支点部の開口部、１０３ｄは中心導体、１０４は出力端子（同軸ケーブル接続端子）、１０５は壁面設置用部材を取り付ける突起、１０６はプリント回路板、１０７はフィルタースイッチ、１０８ａ，１０８ｂ，１０８ｃは化粧パネル取付部、１Ａはシールドケースの第１主面、１Ｂはシールドケースの第２主面、１Ｃはシールドケースの第３主面、１Ｄはシールドケースの第４主面、１Ｅは第３開口部、２ａは第１の蓋、２ｂは第２の蓋、３…コンタクト部材、３ａはコンタクト導体、３ｂは第１絶縁体、３ｃは第２絶縁体、３ｄはシールドカバー、４は押さえ金具、４０１は軸受け部、４０２は第３主面と平行なシールド部、４０３は第４主面と平行なシールド部、５はシールド板、６は三角バネである。
【００２２】
本実施例１の直列ユニット１は、図１（ａ），図１（ｂ），図２（ａ），及び図２（ｂ）に示すように、導電性のシールドケース１０１に、中心導体及び前記中心導体と同心的に設けられた外部導体を有する４個の同軸ケーブル接続端子１０２ａ，１０２ｂ，１０３，１０４、及び壁面設置用部材を取り付ける突起１０５を設け、前記シールドケース１０１の内部空間にプリント回路板１０６を設けてなる。またこのとき、前記各同軸ケーブル接続端子１０２ａ，１０２ｂ，１０３，１０４の中心導体同士は前記プリント回路板１０６により電気的に接続され、前記各同軸ケーブル接続端子１０２ａ，１０２ｂ，１０３，１０４の外部導体同士は前記シールドケース１０１により電気的に接続された直列ユニットである。このとき、前記プリント回路板１０６は、フィルター回路、分配回路、分岐回路を有する。
【００２３】
また、前記同軸ケーブル接続端子１０２ａ，１０２ｂ，１０３，１０４は、室内の壁に設置したときに室内に突出する受信機接続端子１０２ａ，１０２ｂと、壁の内部空間に位置する入力端子１０３及び出力端子１０４からなる。
【００２４】
また、前記シールドケース１０１は、前記受信機接続端子１０２ａ，１０２ｂが設けられた第１主面１Ａの裏側方向に内部空間を持つ立方体状の第１プリント回路板収納スペース１０１ａが設けられている。また、前記第１プリント回路板収納スペース１０１ａは、図２（ａ）に示したように、前記第１主面１Ａの短辺方向の端部と接する第２主面１Ｂに第１開口部（図示しない）が設けられており、前記第１開口部は第１の蓋２ａで覆われている。また、前記シールドケース１０１は、前記第２主面１Ｂの裏面（以下、第３主面と称する）側１Ｃの前記第１主面１Ａに近い中央部分には、前記第１プリント回路板収納スペース１０１ａの外側に延びる前記第１プリント回路板収納スペース１０１ａと連続した第２プリント回路板収納スペース１０１ｂが設けられている。また、前記第２プリント回路板収納スペース１０１ｂは、図２（ｂ）に示したように、前記第１主面１Ａの裏面側に第２開口部（図示しない）が設けられており、前記第２開口部は第２の蓋２ｂで覆われている。
【００２５】
また、前記シールドケース１０１は、前記第１プリント回路板収納スペース１０１ａの前記第３主面１Ｃと前記第１主面１Ａの裏面（以下、第４主面と称する）１Ｄが接する部分に、前記第３主面１Ｃから前記第４主面１Ｄまで連続する第３開口部１Ｅが２カ所設けられており、前記入力端子１０３及び前記出力端子１０４は、前記第３開口部１Ｅから突出するように設けられている。前記入力端子１０３及び出力端子１０４の構成については、後で説明する。
【００２６】
また、前記シールドケース１０１の第１主面１Ａには、図１（ａ）及び図１（ｂ）に示したように、２つの受信機接続端子１０２ａ，１０２ｂが設けられており、前記２つの受信機接続端子１０２ａ，１０２ｂの間には、前記プリント回路板１０６に設けたフィルター回路のオン／オフを切り替えるフィルタースイッチ１０７が設けられている。
【００２７】
また、前記シールドケース１０１の第１主面１Ａの長辺の端部には、３対の化粧パネル取付部１０８ａ，１０８ｂ，１０８ｃが設けられている。またこのとき、前記化粧パネル取付部１０８ａ，１０８ｂ，１０８ｃは、前記第１主面１Ａの長手方向に沿って、等間隔に設けられているとする。
【００２８】
また、本実施例の直列ユニット１において、前記受信機接続端子１０２ａ，１０２ｂの構成及び中心導体とプリント回路板１０６の接続方法等は、従来の直列ユニット１と同じでよいので、詳細な説明を省略する。
【００２９】
本実施例の直列ユニット１において、前記入力端子１０３は、例えば、図３（ａ）及び図３（ｂ）に示すように、外部導体１０３ａの表面に一対の回転支点部１０３ｂが設けられており、一方の回転支点部には、開口部１０３ｃが設けられている。前記回転支点部１０３ｂに設けられた開口部１０３ｃには、図３（ｃ）及び図３（ｄ）に示すように、外部導体１０３ａと同心的に設けられている中心導体１０３ｄとプリント回路板１０６を電気的に接続するためのコンタクト部材３が取り付けられる。
【００３０】
前記コンタクト部材３は、図４（ａ）及び図４（ｂ）に示すように、前記入力端子１０３の中心導体１０３ｄと接続されるコンタクト導体３ａと、前記コンタクト導体３ａを前記入力端子１０３の回転支点部１０３ｂの回転軸付近に支持するための円柱状支持部を有する第１絶縁体３ｂ及び第２絶縁体３ｃと、前記第１絶縁体３ｂ及び第２絶縁体３ｃの表面を覆う導電性のシールドカバー３ｄにより構成されている。このとき、前記シールドカバー３ｄは、前記コンタクト導体３ａと電気的に絶縁されるように設ける。また、前記シールドカバー３ｄは、図４（ａ）に示したように、前記第１絶縁体３ｂ及び第２絶縁体３ｃの２方向の側面を覆うように設けてもよいし、例えば、図５に示すように、前記コンタクト導体が引き出される面を除く三方の面を覆うように設けてもよい。
【００３１】
また、前記シールドケース１０１の第３開口部１Ｅの周辺は、例えば、図６，図７（ａ），及び図７（ｂ）に示すように、前記入力端子１０３の回転支点部１０３ｂを受ける軸受け部１０１ｃが設けられている。また、前記入力端子１０３の回転支点部１０３ｂを支持するときには、図８（ａ）に示すように、前記シールドケース１０１の軸受け部１０１ｃと対になった軸受け部４０１を有する押さえ金具４を用いる。このとき、前記シールドケースに押さえ金具４を取り付けると、図８（ｂ）に示すように、前記シールドケースの軸受け部１０１ｃ及び前記押さえ金具４の軸受け部４０１による円形の空間ができるようになっている。そのため、図９（ａ）に示すように、前記シールドケース１０１の軸受け部１０１ｃと前記押さえ金具４の軸受け部４０１で、前記入力端子１０３の回転支点部１０３ｂを支持することにより、前記シールドケース１０１の第３主面１Ｃ及び第４主面１Ｄと直交する面内で前記入力端子１０３を回転させることができる。すなわち、本実施例の直列ユニット１では、前記入力端子１０３を、図９（ａ）に示すように、前記シールドケース１０１の第３主面１Ｃ上に突出させることもできるし、図９（ｂ）に示すように、前記シールドケース１０１の第４主面１Ｄ上に突出させることもできる。
【００３２】
また、前記押さえ金具４には、前記シールドケース１０１の第３開口部１Ｅからの信号の漏れあるいはあるいは外部からのノイズの進入を防ぐシールド部も設けられている。前記押さえ金具４のシールド部は、図８（ａ）に示したように、前記シールドケース１０１の第３主面１Ｃと平行であり、前記第３開口部１Ｅの第４主面１Ｄ側の端部と接触する第１シールド部４０２と、前記シールドケース１０１の第４主面１Ｄと平行であり、前記第３開口部１Ｅの第３主面１Ｃ側の端部と接触する第２シールド部４０３からなるＬ字形をしている。このとき、前記第２シールド部４０３は、例えば、前記シールドケース１０１に設けたスリット１０１ｄに挿入する。またこのとき、前記スリット１０１ｄの側面には、図６，図８（ｂ）に示したように、前記シールドケース１０１と前記押さえ金具４の第２シールド部４０３の接触部を、前記第１プリント回路板収納スペース１０１ａ側で覆うバリアー部１０１ｅを設ける。
【００３３】
前記入力端子を前記シールドケースに取り付けるときには、図１０に示すように、前記入力端子１０３の回転支点部１０３ｂに設けた開口部に前記コンタクト部材３を取り付け、前記シールドケース１０１の第２主面１Ｂの１開口部から前記第３開口部１Ｅに挿入する。このとき、前記コンタクト部材３は、図１１（ａ）に示すように、円筒状支持部を前記外部導体１０３ａの開口部１０３ｃ内に挿入して前記コンタクト導体３ａが回転軸付近に支持されるような状態で、前記コンタクト導体３ａと前記入力端子１０３の中心導体１０３ｄとを電気的に接続する。またこのとき、前記入力端子１０３の回転支点部１０３ｂと前記コンタクト部材３は、接着せずに、前記円筒状支持部を回転軸として回転させることができるようにしておく。
【００３４】
このとき、前記コンタクト部材３は、図４（ａ）及び図４（ｂ）に示したように、前記円筒状支持部の側面を含む第１絶縁体３ｂ及び第２絶縁体３ｃの周囲にシールドカバー３ｄが被せられている。そのため、前記コンタクト部材３を前記入力端子１０３に取り付けると、図１１（ｂ）に示すように、前記入力端子１０３の外部導体１０３ａ（回転支点部１０３ｂ）と前記シールドカバー３ｄが電気的に接続される。また、前記シールドカバー３ｄは、前記円筒状支持部だけでなく、前記第１絶縁体３ｂ及び第２絶縁体３ｃの周囲を覆うように設けられているので、図１１（ｃ）に示すように、前記シールドケース１０１の軸受け部１０１ｃや押さえ金具４の軸受け部４０１とも電気的に接続される。そのため、例えば、前記入力端子１０３の外部導体の回転支点部１０３ｂと、前記シールドケース１０１の軸受け部１０１ｃの間に隙間ができても、その隙間を前記シールドカバー３ｄでふさぐことができ、電磁波遮蔽効果を高くすることができる。すなわち、前記入力端子１０３の回転支点部１０３ｂと前記軸受け部１０１ｃ，４０１の隙間から信号が漏れたり、外部の電磁波が進入したりして信号が劣化するのを防ぐシールド効果を高くすることができる。
【００３５】
また、前記押さえ金具４を取り付けたときには、前記シールドケース１０１の第４主面１Ｄと前記押さえ金具４の第１シールド部４０２が接触せず、隙間ができることもある。その場合、前記隙間から信号が外部に漏れたり、外部のノイズが進入したりするので信号が劣化しやすい。そのため、前記押さえ金具を取り付ける際に、例えば、図１２に示すように、前記押さえ金具の第１シールド部４０２から前記シールドケース１０１の第４主面１Ｄにかけて連続した導体（シールド板）５を前記押さえ金具４に重ねることで、前記第４主面１Ｄ側のシールド効果を高くすることができる。
【００３６】
また、前記入力端子１０３を前記シールドケースの第３開口部１Ｅに取り付けるときには、例えば、図１３（ａ）及び図１３（ｂ）に示すように、前記押さえ金具４の第１シールド部４０２と第２シールド部４０３が接するコーナー部に三角バネ６を設けて取り付けることが好ましい。前記三角バネ６を設けた場合、前記三角バネ６の弾性や摩擦により、前記入力端子１０３が回転しにくくなるので、同軸ケーブルを接続して壁に設置するときなどの取り扱い時に、例えば、同軸ケーブルの張力等で向きが変わってしまうことを防げる。また、前記三角バネ６の材質や形状、サイズを適宜変更することにより、適当な回転力を付けることができ、例えば、前記入力端子及び出力端子に同軸ケーブルを接続する前や接続した後のように、必要なときだけ回転させることができる。
【００３７】
また、前記出力端子１０４の構成及びシールドケース１０１の第３開口部１Ｅへの取り付け方法は、前記入力端子１０３の構成及び取り付け方法と同じでよいので、詳細な説明は省略する。
【００３８】
また、前記入力端子１０３及び出力端子１０４の中心導体を前記プリント回路板１０６の配線と電気的に接続するときには、前記中心導体と電気的に接続された、前記コンタクト部材３のコンタクト導体３ａをプリント回路板の配線に接続すればよい。
【００３９】
以上説明したように、本実施例の直列ユニット１によれば、前記入力端子１０３及び出力端子１０４が９０度回転するので、前記直列ユニット１を壁に設置するときに、壁の内部空間から引き出した同軸ケーブルを前記入力端子１０３及び出力端子１０４に接続する作業や、壁面設置用部材を利用して壁あるいは壁に埋め込んだアウトレットボックスに取り付ける際の同軸ケーブルの引き回し作業の作業性が向上する。
【００４０】
また、前記入力端子１０３及び出力端子１０４に取り付けるコンタクト部材３の第１絶縁体３ｂ及び第２絶縁体３ｃの表面に、前記シールドカバー３ｄを設けることにより、前記入力端子１０３及び出力端子１０４の回転支点部と前記シールドケース１０１及び押さえ金具４の軸受け部１０１ｃ，４０１の周辺のシールド効果を高くすることができる。また、前記シールドケース１０１のバリアー部１０１ｅ及び前記シールド板５により、前記押さえ金具４の第１シールド部４０２及び第２シールド部４０３と前記シールドケース１０１の接触部のシールド効果を高くすることができる。
【００４１】
図１４乃至図１７は、本実施例の直列ユニットの別の効果を説明するための模式図であり、図１４は壁への設置方法を説明する図、図１５は化粧パネルの取り付け例を説明する図、図１６及び図１７は効果を説明するための図である。
【００４２】
本実施例の直列ユニット１を壁に設置するときには、例えば、図１４に示したように、前記シールドケース１０１に設けた突起１０５及び化粧パネル取付部１０８ａ，１０８ｃを利用して、前記直列ユニット１の第１主面１Ａ側に前記壁面設置用部材７及び化粧パネル８を取り付けた後、前記直列ユニット１の入力端子１０３及び出力端子１０４を壁９の開口部９Ａから内部空間９Ｂに埋め込むようにして設置する。なお、図では省略しているが、このとき、前記入力端子１０３及び前記出力端子１０４には、前記壁９の内部空間９Ｂに敷設された同軸ケーブルが接続されている。
【００４３】
このとき、前記化粧パネル８は、前記直列ユニット１の場合、通常、図１４に示したように、前記シールドケース１０１の第１主面１Ａ側全体を覆う一体的な構成の化粧パネルを取り付けている。しかしながら、本実施例の直列ユニット１のように、前記３対の化粧パネル取付部１０８ａ，１０８ｂ，１０８ｃが設けられている場合は、図１５に示すように、前記第１主面に１Ａ設けられた各受信機接続端子１０２ａ，１０２ｂ上、及び前記各受信機接続端子１０２ａ，１０２ｂの間に設けたフィルタースイッチ１０７上のそれぞれに、３つの独立した化粧パネル８ａ，８ｂ，８ｃを取り付けることができる。このとき、前記各受信機接続端子１０２ａ，１０２ｂ上、及び前記フィルタースイッチ１０７上に化粧パネル８ａ，８ｂ，８ｃを取り付ければ、従来の一体的な構成の化粧パネル８を取り付けたのと同じ状態になるので、図１６に示すように、従来の化粧プレート１０ａをかぶせることで、前記壁９の開口部から室内の埃や水分が壁の内部空間に進入するのを防ぐことができる。また、前記フィルタースイッチ１０７上の化粧パネル８ｂをはずせば、例えば、図１７に示すように、ＡＣコンセントを壁に設置したときに用いる２つ穴の化粧プレート１０ｂをかぶせることもできる。前記ＡＣコンセントや、室内の照明スイッチ等を壁に設置するときに用いる壁面設置用部材や化粧プレート等の部材は、デザインやサイズが前記直列ユニットを壁に設置するときの部材とよく似ている。そのため、図１７に示したように、２つ穴の化粧プレート１０ｂをかぶせることもできるようにすることで、化粧プレート等の部材の流用性（共用性）が高くなる。
【００４４】
以上、本発明を、前記実施例に基づき具体的に説明したが、本発明は、前記実施例に限定されるものではなく、その要旨を逸脱しない範囲において、種々変更可能であることはもちろんである。
【図面の簡単な説明】
【００４５】
【図１】本発明による一実施例の直列ユニットの概略構成を示す模式図であり、図１（ａ）は正面図、図１（ｂ）は右側面図である。
【図２】本実施例の直列ユニットの概略構成を示す模式図であり、図２（ａ）は上面図、図２（ｂ）は裏面図である。
【図３】本実施例の直列ユニットの概略構成を示す模式図であり、図３（ａ），図３（ｂ），図３（ｃ），図３（ｄ）はそれぞれ入力端子の構成を示す図である。
【図４】本実施例の直列ユニットの概略構成を示す模式図であり、図４（ａ）はコンタクト部材の構成を示す図、図４（ｂ）はコンタクト部材の分解図である。
【図５】本実施例の直列ユニットの概略構成を示す模式図であり、コンタクト部材の変形例を示す図である。
【図６】本実施例の直列ユニットの概略構成を示す模式図であり、シールドケースの第３開口部周辺の構成を示す図である。
【図７】本実施例の直列ユニットの概略構成を示す模式図であり、図７（ａ）は図６のＡ−Ａ’線での断面図、図７（ｂ）は図６のＢ−Ｂ’線での断面図である。
【図８】本実施例の直列ユニットの概略構成を示す模式図であり、図８（ａ）及び図８（ｂ）は入力端子の支持方法を説明するための図である。
【図９】本実施例の直列ユニットの概略構成を示す模式図であり、図９（ａ）及び図９（ｂ）は入力端子の動作を説明するための図である。
【図１０】本実施例の直列ユニットの概略構成を示す模式図であり、入力端子の取り付け方法を示す図である。
【図１１】本実施例の直列ユニットの概略構成を示す模式図であり、図１１（ａ），図１１（ｂ），図１１（ｃ）は効果を説明するための図である。
【図１２】本実施例の直列ユニットの概略構成を示す模式図であり、他の効果を説明するための図である。
【図１３】本実施例の直列ユニットの概略構成を示す模式図であり、図１３（ａ）及び図１３（ｂ）は他の効果を説明するための図である。
【図１４】本実施例の直列ユニットの別の効果を説明するための模式図であり、壁への設置方法を説明する図である。
【図１５】本実施例の直列ユニットの別の効果を説明するための模式図であり、化粧パネルの取り付け例を説明する図である。
【図１６】本実施例の直列ユニットの別の効果を説明するための模式図であり、効果を説明するための図である。
【図１７】本実施例の直列ユニットの別の効果を説明するための模式図であり、効果を説明するための図である。
【符号の説明】
【００４６】
１…直列ユニット
１０１…シールドケース
１０１ａ…第１プリント回路板収納スペース
１０１ｂ…第２プリント回路板収納スペース
１０１ｃ…軸受け部
１０１ｄ…押さえ金具取付用スリット
１０１ｅ…バリアー部
１０２ａ，１０２ｂ…受信機接続端子（同軸ケーブル接続端子）
１０３…入力端子（同軸ケーブル接続端子）
１０３ａ…外部導体
１０３ｂ…回転支点部
１０３ｃ…回転支点部の開口部
１０３ｄ…中心導体
１０４…出力端子（同軸ケーブル接続端子）
１０５…壁面設置用部材を取り付ける突起
１０６…プリント回路板
１０７…フィルタースイッチ
１０８ａ，１０８ｂ，１０８ｃ…化粧パネル取付部
１Ａ…シールドケースの第１主面
１Ｂ…シールドケースの第２主面
１Ｃ…シールドケースの第３主面
１Ｄ…シールドケースの第４主面
１Ｅ…第３開口部
２ａ…第１の蓋
２ｂ…第２の蓋
３…コンタクト部材
３ａ…コンタクト導体
３ｂ…第１絶縁体
３ｃ…第２絶縁体
３ｄ…シールドカバー
４…押さえ金具
４０１…軸受け部
４０２…第１シールド部
４０３…第２シールド部
５…シールド板
６…三角バネ
７…壁面設置用部材
８，８ａ，８ｂ，８ｃ…化粧パネル
９…壁
１０ａ，１０ｂ…化粧プレート
【図１】
2005044746.tif 000003
【図２】
2005044746.tif 000004
【図３】
2005044746.tif 000005
【図４】
2005044746.tif 000006
【図５】
2005044746.tif 000007
【図６】
2005044746.tif 000008
【図７】
2005044746.tif 000009
【図８】
2005044746.tif 000010
【図９】
2005044746.tif 000011
【図１０】
2005044746.tif 000012
【図１１】
2005044746.tif 000013
【図１２】
2005044746.tif 000014
【図１３】
2005044746.tif 000015
【図１４】
2005044746.tif 000016
【図１５】
2005044746.tif 000017
【図１６】
2005044746.tif 000018
【図１７】
2005044746.tif 000019